(57)【要約】【課題】給気管を設置できない現場においても既設の排気筒を利用してＦＦ式燃焼装置を安全に使用可能にする給排気アダプタを提供すること。【解決手段】外装ケースと、前記外装ケース内部に設けられた燃焼部及び熱交換部及び前記燃焼部に燃焼用の空気を供給するための送風手段と、前記送風手段に空気を供給する給気部と、熱交換後の燃焼排気を排出する排気部を備え、前記給気部と前記排気部が前記外装ケースの天板部から突出状に設けられている強制給排気式の燃焼装置の給排気アダプタにおいて、前記給排気アダプタは、底面部が開口した箱状のベース部と、このベース部の天面部に前記給気部を覆うように形成され且つ前記燃焼装置の周囲の空気を導入する給気導入部と、前記排気部の周囲を囲む周壁部を備え、前記天面部と前記天板部の間に、前記排気部と前記周壁部の間の空間と前記給気導入部とを連通する連通路が形成され、前記連通路を前記送風手段を作動させて負圧にする。【選択図】図４
2018109483.tif 000002
【特許請求の範囲】
【請求項１】
外装ケースと、前記外装ケース内部に設けられた燃焼部及び熱交換部及び前記燃焼部に燃焼用の空気を供給するための送風手段と、前記送風手段に空気を供給する給気部と、熱交換後の燃焼排気を排出する排気部を備え、前記給気部と前記排気部が前記外装ケースの天板部から突出状に設けられている強制給排気式の燃焼装置の給排気アダプタにおいて、
前記給排気アダプタは、底面部が開口した箱状のベース部と、このベース部の天面部に前記給気部を覆うように形成され且つ前記燃焼装置の周囲の空気を導入する給気導入部と、前記排気部の周囲を囲む周壁部を備え、
前記天面部と前記天板部の間に、前記排気部と前記周壁部の間の空間と前記給気導入部とを連通する連通路が形成され、前記連通路が前記送風手段の作動により負圧になることを特徴とする給排気アダプタ。
【請求項２】
前記給気導入部にはフィルタが設けられていることを特徴とする請求項１に記載の給排気アダプタ。
【発明の詳細な説明】
【技術分野】
【０００１】
本発明は、燃焼装置の給気口及び排気口に取り付ける給排気アダプタに関する。
【背景技術】
【０００２】
従来から、室内に設置され、室内の空気を導入して燃料を燃焼させ、自然通気力により燃焼排気を屋外へ排出する自然排気式（Conventional Flue：ＣＦ式）燃焼装置により給湯や暖房を行う給湯装置や暖房装置が広く使用されている。建物には屋外に連通する排気筒が設けられ、ＣＦ式燃焼装置の排気部が排気筒に接続されているので、燃焼排気を屋外に排出することができる。
【０００３】
このＣＦ式燃焼装置を新しいものに取替える際に、建物の外観維持のため既設の排気筒を取外すことができない場合がある。このような場合には、既設の排気筒内に新たに排気管を挿通させて燃焼装置の取替えに対応している。
【０００４】
例えば、特許文献１の燃焼装置用排気構造は、送風ファンにより室内の空気を導入して燃料を燃焼させ屋外に排気する強制排気式（Forced Exhaust：ＦＥ式）燃焼装置の排気部に接続されている。この排気構造は、既設の排気筒内部に排気管を挿通させて屋外に排気可能にすると共に、排気筒と排気管の間の空間に排気アダプタを配設して雨水の浸入を防いでいる。また、この空間は外装ケースに配設された接続口に接続され、送風ファン作動時に発生する外装ケース内の負圧を利用して、排気筒と排気管の間の空間に漏洩した燃焼排気を再び燃焼装置内に送ることができるように構成されている。
【先行技術文献】
【特許文献】
【０００５】
【特許文献１】特許第５８８４８６５号公報
【発明の概要】
【発明が解決しようとする課題】
【０００６】
しかし、既設の排気筒を取外すことができない場合は、新たに給気管を設けることもできない場合が多い。そのため、ＣＦ式燃焼装置やＦＥ式燃焼装置を、近年主流になっている送風ファンにより給気管から屋外の空気を導入して燃料を燃焼させ屋外に排気する強制給排気式（Forced Flue又はForced draft balanced Flue：ＦＦ式）燃焼装置に取替えることができない。それ故、取替え用のＦＥ式燃焼装置を用意しておく必要があり、燃焼装置の供給者にとって負担となっている。
【０００７】
また、室内の空気を導入し、既設の排気筒に排気管を挿通させて屋外に排気するようにＦＦ式燃焼装置を設置しても、燃焼排気が排気管から室内に漏洩する虞がある。特許文献１の燃焼装置用排気構造は、排気筒と排気管の間の空間をＦＥ式燃焼装置の外装ケースの接続口に接続して燃焼排気の室内への漏洩を防ぐ構成なので、通常は屋外の空気を導入するためこのような接続口を外装ケースに備えていないＦＦ式燃焼装置には適用することができない。
【０００８】
本発明の目的は、給気管を設置できない現場においても既設の排気筒を利用してＦＦ式燃焼装置を安全に使用可能にする給排気アダプタを提供することである。
【課題を解決するための手段】
【０００９】
第１の発明は、外装ケースと、前記外装ケース内部に設けられた燃焼部及び熱交換部及び前記燃焼部に燃焼用の空気を供給するための送風手段と、前記送風手段に空気を供給する給気部と、熱交換後の燃焼排気を排出する排気部を備え、前記給気部と前記排気部が前記外装ケースの天板部から突出状に設けられている強制給排気式の燃焼装置の給排気アダプタにおいて、前記給排気アダプタは、底面部が開口した箱状のベース部と、このベース部の天面部に前記給気部を覆うように形成され且つ前記燃焼装置の周囲の空気を導入する給気導入部と、前記排気部の周囲を囲む周壁部を備え、前記天面部と前記天板部の間に、前記排気部と前記周壁部の間の空間と前記給気導入部とを連通する連通路が形成され、前記連通路が前記送風手段の作動により負圧になることを特徴としている。
【００１０】
上記構成により、給排気アダプタを装着したＦＦ式燃焼装置をＦＥ式燃焼装置のように設置して作動させることができる。また、排気管から漏洩した燃焼排気を再び排気管に送って屋外に排出させることができるので、燃焼排気の室内漏洩を防ぐことができる。
【００１１】
第２の発明は、第１の発明において、前記給気導入部にはフィルタが設けられていることを特徴としている。
【００１２】
上記構成により、燃焼部に導入される空気中の異物を除去すると共に、給気導入部に負圧を発生させることができる。
【発明の効果】
【００１３】
本発明によれば、給気筒を配設できない現場においても既設の排気筒を利用してＦＦ式燃焼装置を安全に使用可能にする給排気アダプタを提供することができる。
【図面の簡単な説明】
【００１４】
【図１】実施例に係る給排気アダプタを備えた燃焼装置の正面図である。
【図２】給排気アダプタの斜視図である。
【図３】図２と異なる角度から見た給排気アダプタの斜視図である。
【図４】給排気アダプタを装着した燃焼装置の吸気部及び排気部の断面図である。
【図５】排気筒を備え室内に燃焼装置が配設される建物の概略を示す模式図である。
【発明を実施するための形態】
【００１５】
以下、本発明を実施するための形態について実施例に基づいて説明する。尚、図中の矢印Ｕは上方を、矢印Ｆは前方を、矢印Ｌは左方を示す。
【実施例】
【００１６】
最初に、ＦＦ式燃焼装置（燃焼装置１）について説明する。
図１に示すように、燃焼装置１は箱状の外装ケース２を有し、この外装ケース２内部に燃焼部３と熱交換部４と送風手段５と給気部６と排気部７等を備えている。給気部６の一部と排気部７の一部は外装ケース２の天板部２ａから上方に突出状に配設されている。送風手段５は、給気部６から外装ケース２内に導入した空気を燃焼用の空気として燃焼部３に供給する。燃焼部３は燃焼用の空気と共に燃料供給管１０から供給される燃料を燃焼させ、燃焼ガスを発生させる。燃焼ガスは熱交換部４で流入管８から導入される流体と熱交換する。熱交換後の燃焼ガスは、燃焼排気として排気部７から排出される。熱交換部４で燃焼ガスと熱交換した流体は流出管９に流れ出る。
【００１７】
通常、燃焼装置１の給気部６と排気部７は、図示を省略するが、屋外に連通する給気管と排気管に夫々接続される。従って、燃焼装置１は、通常は送風手段５により屋外の空気を導入して燃料を燃焼させ、燃焼排気を屋外に排気する。
【００１８】
次に、給排気アダプタ１１について説明する。
図２〜図４に示すように、給排気アダプタ１１は、底面部が開口した箱状に形成されたベース部１２と、ベース部１２の天面部１２ａに設けられた給気導入部１３と円筒状の周壁部１４を備えている。ベース部１２には底面部外周に沿ってフランジ部１２ｂが形成され、シール部材１５がフランジ部１２ｂ下面に配設されて外装ケース２の天板部２ａに密着可能である。
【００１９】
天面部１２ａには、給気部６及び排気部７を夫々挿通する給気開口部１２ｃ及び排気開口部１２ｄが設けられ、夫々挿通した給気部６及び排気部７にビス等により固定可能な給気部固定部１２ｅ，１２ｆ及び排気部固定部１２ｇ，１２ｈを備えている。給気開口部１２ｃは、挿通する給気部６に外嵌する。給気開口部１２ｃの排気開口部１２ｄ側の周縁部には、挿通された給気部６との間に隙間ができるように切り欠かれた切欠部１２ｉが配設されている。
【００２０】
給気導入部１３は、底部が開口した箱状に形成され、給気開口部１２ｃから突出する給気部６を覆うように天面部１２ａに装着される。給気導入部１３の前面部には、メッシュ状のフィルタ１３ａが設けられている。このフィルタ１３ａを通って給気導入部１３内に導入される空気中の異物は、フィルタ１３ａにより除去される。
【００２１】
排気開口部１２ｄは、排気部７の外径より大径に形成されている。排気部固定部１２ｈ，１２ｇは、排気開口部１２ｄの径方向内方に突出状に形成されている。これにより挿通される排気部７と排気開口部１２ｄの間に隙間ができる。周壁部１４は、この排気開口部１２ｄの周縁部に沿うように円筒状に形成される。周壁部１４の内側には排気部７を挿通することができ、周壁部１４には後述のダクト１６を接続することができる。
【００２２】
次に、給排気アダプタ１１を利用した燃焼装置１の設置について説明する。
図５に示すように、建物Ｂには室内から屋外に連通する排気筒２０が設けられている。排気筒２０の室内側端部にはダクト１６が接続され、排気筒２０及びダクト１６内に排気管１７が挿通されている。排気筒２０と排気管１７の屋外側端部には、排気筒２０と排気管１７の間に雨水等の浸入を防ぐための排気アダプタ２１が装着されている。この建物Ｂの室内に燃焼装置１を設置する。
【００２３】
図１，図４に示すように、燃焼装置１の天板部２ａには、給気開口部１２ｃに給気部６を挿通させると共に、排気開口部１２ｄと周壁部１４に排気部７を挿通させたベース部１２が装着され、図示外の給気部固定部１２ｅ，１２ｆ及び排気部固定部１２ｇ，１２ｈにおいてビス等により固定される。その後、給気部６を覆う給気導入部１３をベース部１２に取り付けることにより、給排気アダプタ１１が燃焼装置１に装着された状態になる。尚、給気部６の下端部にはフィルタ部材６ａが装着されている。
【００２４】
排気部７は排気筒２０内に挿通された排気管１７と接続されて屋外に連通する。排気管１７は、既設の排気筒２０内に挿通されるため、例えばポリプロピレン等の合成樹脂製の可撓性を有する配管部材が好ましい。尚、排気部７と排気管１７の接続作業を容易にするため、排気部７には予め排気管１７との接続部を周壁部１４より高い位置に延長する延長部材７ａが装着され、延長部材７ａを介して排気部７が排気管１７に接続される。
【００２５】
周壁部１４には、排気筒２０と接続されたダクト１６が接続される。排気筒２０と排気管１７の間の空間は、ダクト１６と排気管１７の間の空間及び周壁部１４と排気部７の間の空間を介して、天面部１２ａと天板部２ａの間のベース部１２内に形成された連通路１８に連通する。連通路１８は、切欠部１２ｉを介して給気導入部１３に連通する。ダクト１６は、例えば合成樹脂シートとアルミシートを積層したシート部材が補強ワイヤと共に円筒状に形成されたフレキシブルダクトである。そのためダクト１６は、外径を維持しながら内部に挿通した排気管１７に沿うように曲げて配設することができる。  
【００２６】
次に、本発明の給排気アダプタ１１の作用、効果ついて説明する。
給排気アダプタ１１は、燃焼装置１の天板部２ａに装着される。燃焼装置１の排気部７を囲む給排気アダプタ１１の周壁部１４は、ダクト１６を介して既設の排気筒２０と接続される。燃焼装置１の排気部７は、排気筒２０内に挿通させた排気管１７を介して屋外に連通する。
【００２７】
排気筒２０と排気管１７の間の空間は、屋外側端部で排気アダプタ２１により閉塞されている。この空間は、ダクト１６と排気管１７の間の空間及び周壁部１４と排気部７の間の空間を介して、給排気アダプタ１１のベース部１２内の連通路１８により、給気導入部１３と連通する。連通路１８と給気導入部１３は切欠部１２ｉにより連通する。
【００２８】
送風手段５を作動させると、フィルタ１３ａを介して室内の空気を給気導入部１３に導入することができ、燃焼装置１に室内の空気を給気することができる。このとき、フィルタ１３ａの通気抵抗により給気導入部１３が室内の大気圧に対して負圧になり、連通路１８を介してダクト１６と排気管１７の間の空間も負圧になる。排気管１７からこの空間に燃焼排気が漏洩しても、漏洩排気は連通路１８を介して再び燃焼装置１内に導入され、排気部７及び排気管１７を通って屋外に排出されるので、室内への燃焼排気の漏洩を防ぐことができる。従って、屋外と連通する給気管を配設できない場合でも、給排気アダプタ１１により既設の排気筒２０を利用して燃焼装置１を室内に設置することができ、この燃焼装置１を安全に使用することができる。
【００２９】
以上説明した燃焼装置１は、給湯装置や暖房装置を構成可能なものであり、熱交換部４では湯水や暖房熱媒が加熱されるように構成することができる。その他、当業者であれば、本発明の趣旨を逸脱することなく、前記実施形態に種々の変更を付加した形態で実施可能であり、本発明はそのような変更形態を包含するものである。
【符号の説明】
【００３０】
１      燃焼装置
２      外装ケース
２ａ    天板部
３      燃焼部
４      熱交換部
５      送風手段
６      給気部
７      排気部
１１    給排気アダプタ
１２    ベース部
１２ａ  天面部
１２ｉ  切欠部
１３    給気導入部
１３ａ  フィルタ
１４    周壁部
１６    ダクト
１７    排気管
１８    連通路
２０    排気筒
２１    排気アダプタ
【図１】
2018109483.tif 000003
【図２】
2018109483.tif 000004
【図３】
2018109483.tif 000005
【図４】
2018109483.tif 000006
【図５】
2018109483.tif 000007